【手続補正書】
【提出日】平成20年9月5日(2008.9.5)
【手続補正１】
【補正対象書類名】明細書
【補正対象項目名】特許請求の範囲
【補正方法】変更
【補正の内容】
【特許請求の範囲】
【請求項１】  被写体を撮像手段により撮像して作成した画像データを蓄積する画像メモリを有するとともに、前記作成した画像データを外部機器に転送可能に構成された撮像装置であって、
前記撮像手段によって新たに作成された画像データのうち、情報量の少ない画像データを情報量の多い画像データに優先して前記外部機器に転送するようにしたことを特徴とする撮像装置。
【請求項２】  画像データを外部機器に転送可能に構成された撮像装置であって、
被写体像を撮像して情報量の異なる複数の画像データを取得する画像データ取得手段と、
画像データを外部機器に転送する転送手段と、
前記画像データ取得手段が画像データを取得することにともなって、前記転送手段に前記画像データ取得手段が取得する前記情報量の異なる複数の画像データのうち情報量の少ない画像データを情報量の多い画像データに優先して前記外部機器に転送させる制御手段とを有することを特徴とする撮像装置。
【請求項３】  前記画像データ取得手段が取得した画像データを記憶する画像メモリを有し、
前記転送手段は、前記画像メモリに記憶された画像データを前記外部機器に転送するとともに、前記制御手段は、前記転送手段に前記画像メモリに記憶されている前記外部機器に未転送の情報量の多い画像データに優先して、前記画像データ取得手段により新たに取得された前記情報量の少ない画像データを前記外部機器に転送させることを特徴とする請求項２に記載の撮像装置。
【請求項４】  前記画像データ取得手段は、前記転送手段が画像データを前記外部機器に転送中は、画像データの取得を行わないことを特徴とする請求項２または３に記載の撮像装置。
【請求項５】  前記転送手段は、画像データを前記外部機器に転送中に撮影指令があった場合、転送動作を中断し、撮影動作終了後に転送動作を再開することを特徴とする請求項２または３に記載の撮像装置。
【請求項６】  前記情報量の少ない画像データは、サムネイル画像データであることを特徴とする請求項１〜３のいずれか１項に記載の撮像装置。
【請求項７】  前記情報量の少ない画像データは、圧縮処理された画像データであることを特徴とする請求項１〜３のいずれか１項に記載の撮像装置。
【請求項８】  被写体を撮像手段により撮像して作成した画像データを蓄積する画像メモリを有するとともに、前記作成した画像データを外部機器に転送可能に構成された撮像装置の制御方法であって、
前記撮像手段によって新たに作成された画像データのうち、情報量の少ない画像データを情報量の多い画像データに優先して前記外部機器に先に転送するように制御することを特徴とする撮像装置の制御方法。
【請求項９】  画像データを外部機器に転送可能に構成された撮像装置の制御方法であって、
被写体像を撮像して情報量の異なる複数の画像データを取得する画像データ取得工程と、
前記画像データ取得工程が取得した前記情報量の異なる複数の画像データのうち情報量の少ない画像データを情報量の多い画像データに優先して前記外部機器に転送する転送工程とを有することを特徴とする撮像装置の制御方法。
【請求項１０】  被写体を撮像して作成した画像データを外部機器に転送可能に構成された撮像装置のプログラムコードを格納する記憶媒体であって、
前記被写体を撮像手段によって撮像して情報量が異なる複数の画像データを作成する画像データ作成工程のプログラムコードと、
前記画像データを蓄積する画像メモリに蓄積された画像データを転送手段により前記外部機器に転送する転送工程のプログラムコードと、
前記画像データ作成工程によって新たに作成され、前記画像メモリに蓄積されている未転送の情報量が少ない画像データを情報量の多い画像データに優先して前記外部機器に転送するように前記転送手段を制御する制御工程のプログラムコードとを格納することを特徴とするコンピュータ読み取り可能な記憶媒体。
【請求項１１】  被写体を撮像して画像データを外部機器に転送可能に構成された撮像装置と、前記撮像装置から転送された画像データを受け取る外部機器とから構成される撮像システムであって、
前記撮像装置は、情報量の異なる複数の画像データを取得する画像データ取得手段と、画像データを前記外部機器に転送する転送手段と、前記画像データ取得手段が画像データを取得することにともなって、前記転送手段に前記画像データ取得手段が取得する前記情報量の異なる複数の画像データのうち情報量の少ない画像データを情報量の多い画像データに優先して前記外部機器に転送させる制御手段とを有することを特徴とする撮像システム。
【請求項１２】  請求項８または９に記載の撮像装置の制御方法をコンピュータに実行させることを特徴とするコンピュータプログラム。
【手続補正２】
【補正対象書類名】明細書
【補正対象項目名】０００７
【補正方法】変更
【補正の内容】
【０００７】
【課題を解決するための手段】
本発明の撮像装置は、被写体を撮像手段により撮像して作成した画像データを蓄積する画像メモリを有するとともに、前記作成した画像データを外部機器に転送可能に構成された撮像装置であって、前記撮像手段によって新たに作成された画像データのうち、情報量の少ない画像データを情報量の多い画像データに優先して前記外部機器に転送するようにしたことを特徴としている。
また、本発明の撮像装置における他の態様は、画像データを外部機器に転送可能に構成された撮像装置であって、被写体像を撮像して情報量の異なる複数の画像データを取得する画像データ取得手段と、画像データを外部機器に転送する転送手段と、前記画像データ取得手段が画像データを取得することにともなって、前記転送手段に前記画像データ取得手段が取得する前記情報量の異なる複数の画像データのうち情報量の少ない画像データを情報量の多い画像データに優先して前記外部機器に転送させる制御手段とを有することを特徴としている。
【手続補正３】
【補正対象書類名】明細書
【補正対象項目名】０００８
【補正方法】変更
【補正の内容】
【０００８】
本発明の撮像装置の制御方法は、被写体を撮像手段により撮像して作成した画像データを蓄積する画像メモリを有するとともに、前記作成した画像データを外部機器に転送可能に構成された撮像装置の制御方法であって、前記撮像手段によって新たに作成された画像データのうち、情報量の少ない画像データを情報量の多い画像データに優先して前記外部機器に先に転送するように制御することを特徴としている。
また、本発明の撮像装置の制御方法における他の態様は、画像データを外部機器に転送可能に構成された撮像装置の制御方法であって、被写体像を撮像して情報量の異なる複数の画像データを取得する画像データ取得工程と、前記画像データ取得工程が取得した前記情報量の異なる複数の画像データのうち情報量の少ない画像データを情報量の多い画像データに優先して前記外部機器に転送する転送工程とを有することを特徴としている。
【手続補正４】
【補正対象書類名】明細書
【補正対象項目名】０００９
【補正方法】変更
【補正の内容】
【０００９】
本発明のコンピュータ読み取り可能な記憶媒体は、被写体を撮像して作成した画像データを外部機器に転送可能に構成された撮像装置のプログラムコードを格納する記憶媒体であって、前記被写体を撮像手段によって撮像して情報量が異なる複数の画像データを作成する画像データ作成工程のプログラムコードと、前記画像データを蓄積する画像メモリに蓄積された画像データを転送手段により前記外部機器に転送する転送工程のプログラムコードと、前記画像データ作成工程によって新たに作成され、前記画像メモリに蓄積されている未転送の情報量が少ない画像データを情報量の多い画像データに優先して前記外部機器に転送するように前記転送手段を制御する制御工程のプログラムコードとを格納することを特徴としている。
【手続補正５】
【補正対象書類名】明細書
【補正対象項目名】００１０
【補正方法】変更
【補正の内容】
【００１０】
本発明の撮像システムは、被写体を撮像して画像データを外部機器に転送可能に構成された撮像装置と、前記撮像装置から転送された画像データを受け取る外部機器とから構成される撮像システムであって、前記撮像装置は、情報量の異なる複数の画像データを取得する画像データ取得手段と、画像データを前記外部機器に転送する転送手段と、前記画像データ取得手段が画像データを取得することにともなって、前記転送手段に前記画像データ取得手段が取得する前記情報量の異なる複数の画像データのうち情報量の少ない画像データを情報量の多い画像データに優先して前記外部機器に転送させる制御手段とを有することを特徴としている。
【手続補正６】
【補正対象書類名】明細書
【補正対象項目名】００９０
【補正方法】変更
【補正の内容】
【００９０】
【発明の効果】
以上説明してきたように、本発明によれば、ユーザーが外部計算機上でディジタル画像データの内容をできるだけ早く確認することができる。